(57)【要約】【課題】  棚を全て抜かなくても、棚の幅の変化する分だけ棚を引くことで、棚抜き取ることができる冷蔵庫を得ることを目的とする。【解決手段】  この発明に係る冷蔵庫は、外箱と内箱との間に断熱材を充填し、各室に区画された冷蔵庫において、左右の幅が冷蔵庫前面側より冷蔵庫奥側を狭くした棚と、内箱に設けられ、棚の左右側縁部を前後方向に摺動可能に上下で挟んで保持し、左右間の距離が冷蔵庫奥側より冷蔵庫前面側を広くしたレール部と、を備え、棚の冷蔵庫奥側の左右の幅を、レール部の冷蔵庫前面側の左右間の距離よりも狭くしたことを特徴とする。【選択図】        図１
2005121328.tif 000002
【特許請求の範囲】
【請求項１】
外箱と内箱との間に断熱材を充填し、各室に区画された冷蔵庫において、
左右の幅が冷蔵庫前面側より冷蔵庫奥側を狭くした棚と、
前記内箱に設けられ、前記棚の左右側縁部を前後方向に摺動可能に上下で挟んで保持し、左右間の距離が冷蔵庫奥側より冷蔵庫前面側を広くしたレール部と、
を備え、前記棚の冷蔵庫奥側の左右の幅を、前記レール部の冷蔵庫前面側の左右間の距離よりも狭くしたことを特徴とする冷蔵庫。
【請求項２】
外箱と内箱との間に断熱材を充填し、各室に区画された冷蔵庫において、
左右の幅を冷蔵庫奥側で冷蔵庫前面側より狭くし、冷蔵庫奥側の狭い部分の側面に凸形状を設けた棚と、
前記内箱に設けられ、前記棚の左右側縁部を前後方向に摺動可能に上下で挟んで保持し、左右間の距離が前記棚の冷蔵庫奥側の左右の幅よりも広く、前記棚の冷蔵庫前面側の左右の幅よりも狭いレール部と、
を備え、前記棚の引き出し時、前記棚の凸形状を中心として回転しながら前記棚を取り外す構成としたことを特徴とする冷蔵庫。
【請求項３】
前記レール部を、前記内箱の側壁に上下に複数段設けたことを特徴とする請求項１又は請求項２記載の冷蔵庫。
【請求項４】
前記レール部は上レールと下レールを有し、冷蔵庫前縁部からの先端部の位置を上レールと下レールで変化させたことを特徴とする請求項１又は請求項２記載の冷蔵庫。
【請求項５】
前記棚の左右側縁部に、棚の上下で高さの異なるフランジ形状を形成したことを特徴とする請求項１又は請求項２記載の冷蔵庫。
【請求項６】
前記棚の左右側縁部と前記レール部に、前記棚の抜き差し時の安全性を確保するためのストッパー形状を設けたことを特徴とする請求項１又は請求項２記載の冷蔵庫。
【発明の詳細な説明】
【技術分野】
【０００１】
この発明は、冷蔵庫に関するもので、詳しくは貯蔵物の大きさに合わせて棚の上下間隔寸法を調節可能な冷蔵庫用の棚に関するものである。
【背景技術】
【０００２】
従来の冷蔵庫は、内箱と外箱との間に断熱材を充填してなる冷蔵庫本体と、内箱の左右側面部庫内側に相対向し上下方向に複数列設け他前後方向の溝と、相対向する一組の溝に前後方向に着脱自在に取り付けた庫内棚とにより構成され、溝とその隣の溝の間の凸部の前面部に凹みを設けた構成とすることにより、きめ細かい調節ができ、容易に水平に取り付けることができる庫内棚を簡単な構成でしかも、安価にて提供する（例えば、特許文献１参照）。
【特許文献１】特開平７−１２４５２号公報
【発明の開示】
【発明が解決しようとする課題】
【０００３】
従来の冷蔵庫における棚構成では、棚を全て引き出してからでないと、棚の高さを変更できないため、使い勝手が悪かった。また、冷蔵庫の設置状況によっては、冷蔵庫の扉が９０°程度しか開かない場合があり、その場合冷蔵室扉に設置されたポケット等に棚が当たり、棚の抜き取りができないという問題があった。
【０００４】
この発明は、上記のような問題点を解決するためになされたもので、棚を全て抜かなくても、棚の幅の変化する分だけ棚を引くことで、棚抜き取ることができる冷蔵庫を得ることを目的とする。
【課題を解決するための手段】
【０００５】
この発明に係る冷蔵庫は、外箱と内箱との間に断熱材を充填し、各室に区画された冷蔵庫において、左右の幅が冷蔵庫前面側より冷蔵庫奥側を狭くした棚と、内箱に設けられ、棚の左右側縁部を前後方向に摺動可能に上下で挟んで保持し、左右間の距離が冷蔵庫奥側より冷蔵庫前面側を広くしたレール部と、を備え、棚の冷蔵庫奥側の左右の幅を、レール部の冷蔵庫前面側の左右間の距離よりも狭くしたことを特徴とする。
【発明の効果】
【０００６】
この発明に係る冷蔵庫は、左右の幅が冷蔵庫前面側より冷蔵庫奥側を狭くした棚と、内箱に設けられ、棚の左右側縁部を前後方向に摺動可能に上下で挟んで保持し、左右間の距離が冷蔵庫奥側より冷蔵庫前面側を広くしたレール部と、を備え、棚の冷蔵庫奥側の左右の幅を、レール部の冷蔵庫前面側の左右間の距離よりも狭くしたことにより、棚を全て引き出さなくても、所定の距離だけ棚を引き出すことで棚の差替えを行うことができ、扉を完全に開ききらなくても棚の差替えが行えるという効果を有する。
【発明を実施するための最良の形態】
【０００７】
実施の形態１．
図１〜７は実施の形態１を示す図で、図１は冷蔵庫本体の冷蔵室の斜視図、図２はレールに棚が取り付けられている平面図、図３は棚を引き出した時の平面図、図４はレールに棚をセットした場合の側面図、図５は棚の上下を反転してセットした場合の側面図、図６は棚の斜視図、図７は棚の構造を示す斜視図である。
【０００８】
図において、冷蔵庫本体１は、鋼板製の外箱２と樹脂製の内箱３との空間に断熱材４を充填して形成されている。また、内箱３の左右側壁にはそれぞれ下レール１０と、上レール１１とが設けられている。レール部は、下レール１０と上レール１１に相当する。
【０００９】
棚２０は、棚２０の側縁部が下レール１０と上レール１１の間に前後方向に摺動可能に保持されている。
【００１０】
下レール１０、上レール１１の前端の位置は冷蔵庫前縁部より奥に配置されている。冷蔵庫前縁部からレールの前端までの距離は、冷蔵庫扉に設置されたポケット等が扉を閉めた際に冷蔵庫本体の前縁部より内側に入る距離によって、ポケット等と干渉しないように設定されている。
【００１１】
また、下レール１０と上レール１１の左右間の距離は冷蔵庫前側では広く、奥側では狭くなっている。
【００１２】
また、レールの先端位置は、下レール１０と上レール１１で変化させ、下レール１０の先端位置は上レール１１のそれよりも冷蔵庫前面に近い。また、レールの幅が広くなる部分も、下レール１０と上レール１１で変化させ、下レール１０のレールの幅が広くなる部分を上レール１１のそれよりも冷蔵庫前面に近くしてもよい。棚２０を抜き取った場合にも下の段の支持部に保持されるため、棚２０を確実に一段変更することができる。
【００１３】
また、下レール１０の前端には高さ３ｍｍ程度のストッパー形状１３が設けられている。
【００１４】
下レール１０、上レール１１は、冷蔵庫の内箱３と一体に成形してもよいし、また別部品として成形した後内箱３に取り付ける構造としてもよい。内箱３と一体に成形した場合は、レールとしての別部品が不要となり、安価に製造することが可能となる。
【００１５】
棚２０には、側縁部にフランジ形状２１が設けられている。フランジ形状２１は棚２０の上下で高さが異なる。また、左右側縁部のフランジ形状２１には、ストッパー形状が設けられている。また、棚２０の幅寸法は、棚前側では広く、後部では狭くなっている。
【００１６】
そして、棚２０の後部の幅寸法は、下レール１０と上レール１１の冷蔵庫前側での左右間の距離より狭くなっている。従って、棚２０を全て引き出さなくても、所定の距離だけ引き出すことで棚２０の差替えを行うことができる。
【００１７】
また、棚２０には、上下面に０．５ｍｍ程度のリブ２２が１０〜３０ｍｍ程度の間隔で設けられている。
【００１８】
次に、この実施の形態の動作について説明する。図２に示すように、棚２０が冷蔵庫内に収納されているときには、棚２０の側縁部が下レール１０と上レール１１に挟さまれ保持されている。棚２０を前方向に引き出してくると、棚２０のフランジ形状２１に設けられたストッパー形状と、下レール１０の前端に設けられたストッパー形状１３が当たり、棚２０の動きが止まる。
【００１９】
さらに、ストッパー形状１３を乗り越えて棚２０を引き出すと、図３のように棚２０後側の幅の狭い部分が、左右の上レール１１間の前側の幅の広い部分で上側に棚２０を取り外すことが可能となる。
【００２０】
図７は上レール１１より上方に同じ間隔で、差替え用上レール１２を設けたものである。この場合、上レール１１と差替え用上レール１２の間で、棚２０を保持することで、棚２０の高さの変更が可能となる。
【００２１】
また、図４、５に示すように、棚２０を上下逆転させて設置しても、同様の動作が可能であり、棚２０の側縁フランジの高さが上下異なる高さで作られているので、棚２０の高さを変更することが可能である。
【００２２】
上述の実施の形態によれば、棚２０を全て引き出さなくても、所定の距離だけ棚２０を引き出すことで棚２０を外すことができ、扉を完全に開ききらなくても棚２０の差替えが行える。
【００２３】
また、同一仕様のレールを複数段設けることで、棚２０の高さを複数段変更できる。
【００２４】
また、レールの先端位置を上下のレールで変化させているので、棚２０を抜き取った場合にも下の段の指示部に保持されるため、棚２０を確実に一段変更することができる。
【００２５】
また、棚２０のフランジ高さを上下で変化させているので、棚２０を上下反転して使用することが可能であり、上下反転することにより、更に細かい高さの設定が可能である。
【００２６】
また、レール先端にストッパー形状１３を設けているので、棚２０の抜き差しにあたり、ストッパー形状１３を乗り越えなければ棚２０が抜けないので、安全性が確保される。
【００２７】
実施の形態２．
図８〜１２は実施の形態２を示す図で、図８は棚の構造を示す斜視図、図９はレールに棚が取り付けられている平面図、図１０は棚を引き出した時の平面図、図１１は棚の斜視図、図１２は棚の取り外し構造を示す斜視図、図１３は棚の構造を示す斜視図である。実施の形態１と重複する部分については、説明を省略する。
【００２８】
本実施の形態では、下レール１０、上レール１１の左右の間隔は前と後でほぼ一定である。但し、冷蔵庫内箱成型時を考慮して、奥を若干狭くしても良い。
【００２９】
また、レールの先端位置は、下レール１０と上レール１１で変化させ、下レール１０の先端位置は上レール１１のそれよりも冷蔵庫前面に近い。
【００３０】
棚２０の幅寸法は、棚前側では広く、後部では狭くなっている。そして、棚後部の幅寸法は、下レール１０、上レール１１の左右の間隔よりも狭くなっている。
【００３１】
また、棚２０の左右側縁部の後端には、円筒径の凸形状２３が設けられている。凸形状２３は、上下レール間で回転可能となるように寸法設定されている。
【００３２】
次に、この実施の形態の動作について説明する。図９に示すように、棚２０が冷蔵庫内に収納されているときには、棚２０の側縁部が上レール１１と下レール１０に挟さまれ保持されている。棚２０を前方向に引き出してくると、棚２０の側縁フランジに設けられたストッパー形状と下レール１０の前端に設けられたストッパー形状１３が当たり、棚２０の動きが止まる。
【００３３】
さらに、ストッパー形状１３を乗り越えて棚２０を引き出すと、図１０のように棚２０後側の幅の狭い部分が、左右の上レール１１間で凸形状２３を中心として回転可能となり、図１２に示すように上側に回転しながら棚２０を取り出すことが可能となる。
【００３４】
図１３は上レール１１より上方に同じ間隔で、差替え用上レール１２を設けたものである。この場合、上レール１１と差替え用上レール１２の間で、棚２０を保持することで、棚２０の高さの変更が可能となる。
【００３５】
上述の実施の形態によれば、棚２０の前方に障害物があっても、棚２０を幅の変化する分だけ棚２０を引きだし、棚２０に設けた凸形状２３を中心に回転することで、棚２０の抜き取りができ、扉を完全に開ききらなくても棚２０の差替えが行える。
【００３６】
また、同一仕様のレールを複数段設けることで、棚２０の高さを複数段変更できる。
【００３７】
また、レールの先端位置を上下のレールで変化させているので、棚２０を抜き取った場合にも下の段の指示部に保持されるため、棚２０を確実に一段変更することができる。
【００３８】
また、棚２０のフランジ高さを上下で変化させているので、棚２０を上下反転して使用することが可能であり、上下反転することにより、更に細かい高さの設定が可能である。
【００３９】
また、レール先端にストッパー形状１３を設けているので、棚２０の抜き差しにあたり、ストッパー形状１３乗り越えなければ棚２０が抜けないので、安全性が確保される。
【図面の簡単な説明】
【００４０】
【図１】実施の形態１を示す図で、冷蔵庫本体の冷蔵室の斜視図である。
【図２】実施の形態１を示す図で、レールに棚が取り付けられている平面図である。
【図３】実施の形態１を示す図で、棚を引き出した時の平面図である。
【図４】実施の形態１を示す図で、レールに棚をセットした場合の側面図である。
【図５】実施の形態１を示す図で、棚の上下を反転してセットした場合の側面図である。
【図６】実施の形態１を示す図で、棚の斜視図である。
【図７】実施の形態１を示す図で、棚の構造を示す斜視図である。
【図８】実施の形態２を示す図で、棚の構造を示す斜視図である。
【図９】実施の形態２を示す図で、レールに棚が取り付けられている平面図である。
【図１０】実施の形態２を示す図で、棚を引き出した時の平面図である。
【図１１】実施の形態２を示す図で、棚の斜視図である。
【図１２】実施の形態２を示す図で、棚の取り外し構造を示す斜視図である。
【図１３】実施の形態２を示す図で、棚の構造を示す斜視図である。
【符号の説明】
【００４１】
１  冷蔵庫本体、２  外箱、３  内箱、４  断熱材、１０  下レール、１１  上レール、１２  差替え用上レール、１３  ストッパー形状、２０  棚、２１  フランジ形状、２２  リブ、２３  凸形状。
【図１】
2005121328.tif 000003
【図２】
2005121328.tif 000004
【図３】
2005121328.tif 000005
【図４】
2005121328.tif 000006
【図５】
2005121328.tif 000007
【図６】
2005121328.tif 000008
【図７】
2005121328.tif 000009
【図８】
2005121328.tif 000010
【図９】
2005121328.tif 000011
【図１０】
2005121328.tif 000012
【図１１】
2005121328.tif 000013
【図１２】
2005121328.tif 000014
【図１３】
2005121328.tif 000015